(57)【特許請求の範囲】
【請求項１】
第１の電気部品と第２の電気部品とを互いに電気的に接続するためのコンタクトピンであって、
前記第１の電気部品に接触する第１接触部を有する導電性の第１プランジャーと、この第１プランジャーに対して上下動自在に支持されて前記第２の電気部品に接触する第２接触部を有する導電性の第２プランジャーとを備えており、
前記第２プランジャーに、前記第１プランジャーと前記第２プランジャーとを互いに離れる方向に弾性的に付勢する伸縮可能な蛇行部が一体に形成されているとともに、前記第１プランジャーと前記第２プランジャーとを導電する棒状の接触片が、前記蛇行部の伸縮時に、この蛇行部の伸縮動作をガイドするように設けられており、
前記第１の電気部品と前記第２の電気部品とを互いに電気的に接続する際に、前記第１プランジャーと前記第２プランジャーとが前記接触片を介して互いに導電されるとともに、前記蛇行部が縮められて所定の反発力を発現することにより、前記第１プランジャーの前記第１接触部および前記第２プランジャーの前記第２接触部がそれぞれ前記第１の電気部品および前記第２の電気部品に所定の接圧で接触するように構成され、
前記第１プランジャーは、断面略Ｕ字状のプランジャー本体を有しているとともに、前記接触片は、前記プランジャー本体の開口部の近傍で前記蛇行部に沿って延設されており、前記蛇行部が伸縮するときに、この蛇行部の水平方向の四方を前記プランジャー本体および前記接触片で包囲して当該蛇行部の伸縮動作をガイドするように構成されていることを特徴とするコンタクトピン。
【請求項２】
第１の電気部品と第２の電気部品とを互いに電気的に接続するためのコンタクトピンであって、
前記第１の電気部品に接触する第１接触部を有する導電性の第１プランジャーと、この第１プランジャーに対して上下動自在に支持されて前記第２の電気部品に接触する第２接触部を有する導電性の第２プランジャーとを備えており、
前記第２プランジャーに、前記第１プランジャーと前記第２プランジャーとを互いに離れる方向に弾性的に付勢する伸縮可能な蛇行部が一体に形成されているとともに、前記第１プランジャーと前記第２プランジャーとを導電する棒状の接触片が、前記蛇行部の伸縮時に、この蛇行部の伸縮動作をガイドするように設けられており、
前記第１の電気部品と前記第２の電気部品とを互いに電気的に接続する際に、前記第１プランジャーと前記第２プランジャーとが前記接触片を介して互いに導電されるとともに、前記蛇行部が縮められて所定の反発力を発現することにより、前記第１プランジャーの前記第１接触部および前記第２プランジャーの前記第２接触部がそれぞれ前記第１の電気部品および前記第２の電気部品に所定の接圧で接触するように構成され、
前記接触片における前記蛇行部の先端部よりもさらに先端側に係止部が形成されているとともに、前記第１プランジャーに被係止部が形成され、前記係止部が前記被係止部に上下動可能に係止されており、
前記第２プランジャーの前記蛇行部の基端部側に被係合部が形成されているとともに、前記第１プランジャーに係合部が形成され、前記係合部が前記被係合部に上下動可能に係合されており、
前記第１プランジャーに対して前記第２プランジャーが上下動するときに、前記係止部と前記被係止部によるガイドと、前記係合部と前記被係合部によるガイドがなされるように構成されていることを特徴とするコンタクトピン。
【請求項３】
請求項１又は２に記載の複数のコンタクトピンがモジュール本体に配設されていることを特徴とする電気部品用ソケット。
【発明の詳細な説明】
【技術分野】
【０００１】
この発明は、例えば、電気部品検査用プローブとして用いるべく、第１の電気部品と第２の電気部品とを互いに電気的に接続するためのコンタクトピン（接触子）と、このコンタクトピンを有する電気部品用ソケットとに関するものである。
【背景技術】
【０００２】
従来、この種のコンタクトピンとしては、所定の変位量を確保しつつ所望の導通性を担保すべく、固定部と可動部とが上下方向に伸縮可能な蛇腹体で互いに連結され、この蛇腹体に沿って棒状の可動接触片が可動部に設けられたものがある（例えば、特許文献１参照）。このコンタクトピンは、その使用に際して、可動部を固定部側に押し下げると、蛇腹体が縮んでいくとともに、可動接触片が固定部に接触して短絡するように構成されている。
【先行技術文献】
【特許文献】
【０００３】
【特許文献１】特開２０１３−８９３７３号公報
【発明の概要】
【発明が解決しようとする課題】
【０００４】
しかしながら、このようなコンタクトピンでは、蛇腹体が縮むときに、この蛇腹体が左右に揺動してしまう場合がある。この場合、固定部と可動部とを互いに離れる方向に弾性的に付勢する力が弱まるため、第１の電気部品や第２の電気部品とコンタクトピンとの接圧が不十分になり、ひいては第１の電気部品と第２の電気部品とが電気的に適正に接続できなくなるという課題があった。
【０００５】
そこで、この発明は、第１の電気部品と第２の電気部品とを互いに電気的に接続する際に、これらの電気部品が接圧不足で適正に接続できなくなる事態を回避することが可能なコンタクトピンおよび電気部品用ソケットを提供することを課題としている。
【課題を解決するための手段】
【０００６】
かかる課題を達成するために、請求項１に記載の発明は、第１の電気部品と第２の電気部品とを互いに電気的に接続するためのコンタクトピンであって、前記第１の電気部品に接触する第１接触部を有する導電性の第１プランジャーと、この第１プランジャーに対して上下動自在に支持されて前記第２の電気部品に接触する第２接触部を有する導電性の第２プランジャーとを備えており、前記第２プランジャーに、前記第１プランジャーと前記第２プランジャーとを互いに離れる方向に弾性的に付勢する伸縮可能な蛇行部が一体に形成されているとともに、前記第１プランジャーと前記第２プランジャーとを導電する棒状の接触片が、前記蛇行部の伸縮時に、この蛇行部の伸縮動作をガイドするように設けられており、前記第１の電気部品と前記第２の電気部品とを互いに電気的に接続する際に、前記第１プランジャーと前記第２プランジャーとが前記接触片を介して互いに導電されるとともに、前記蛇行部が縮められて所定の反発力を発現することにより、前記第１プランジャーの前記第１接触部および前記第２プランジャーの前記第２接触部がそれぞれ前記第１の電気部品および前記第２の電気部品に所定の接圧で接触するように構成され、前記第１プランジャーは、断面略Ｕ字状のプランジャー本体を有しているとともに、前記接触片は、前記プランジャー本体の開口部の近傍で前記蛇行部に沿って延設されており、前記蛇行部が伸縮するときに、この蛇行部の水平方向の四方を前記プランジャー本体および前記接触片で包囲して当該蛇行部の伸縮動作をガイドするように構成されているコンタクトピンとしたことを特徴とする。
【０００８】
また、請求項２に記載の発明は、第１の電気部品と第２の電気部品とを互いに電気的に接続するためのコンタクトピンであって、前記第１の電気部品に接触する第１接触部を有する導電性の第１プランジャーと、この第１プランジャーに対して上下動自在に支持されて前記第２の電気部品に接触する第２接触部を有する導電性の第２プランジャーとを備えており、前記第２プランジャーに、前記第１プランジャーと前記第２プランジャーとを互いに離れる方向に弾性的に付勢する伸縮可能な蛇行部が一体に形成されているとともに、前記第１プランジャーと前記第２プランジャーとを導電する棒状の接触片が、前記蛇行部の伸縮時に、この蛇行部の伸縮動作をガイドするように設けられており、前記第１の電気部品と前記第２の電気部品とを互いに電気的に接続する際に、前記第１プランジャーと前記第２プランジャーとが前記接触片を介して互いに導電されるとともに、前記蛇行部が縮められて所定の反発力を発現することにより、前記第１プランジャーの前記第１接触部および前記第２プランジャーの前記第２接触部がそれぞれ前記第１の電気部品および前記第２の電気部品に所定の接圧で接触するように構成され、前記接触片における前記蛇行部の先端部よりもさらに先端側に係止部が形成されているとともに、前記第１プランジャーに被係止部が形成され、前記係止部が前記被係止部に上下動可能に係止されており、前記第２プランジャーの前記蛇行部の基端部側に被係合部が形成されているとともに、前記第１プランジャーに係合部が形成され、前記係合部が前記被係合部に上下動可能に係合されており、前記第１プランジャーに対して前記第２プランジャーが上下動するときに、前記係止部と前記被係止部によるガイドと、前記係合部と前記被係合部によるガイドがなされるように構成されているコンタクトピンとしたことを特徴とする。
【０００９】
さらに、請求項３の発明は、請求項１又は２に記載の複数のコンタクトピンがモジュール本体に配設されている電気部品用ソケットとしたことを特徴とする。
【発明の効果】
【００１０】
請求項１に記載の発明によれば、第１の電気部品と第２の電気部品とを互いに電気的に接続する際に、第１プランジャーと前記第２プランジャーとが接触片を介して互いに導電されるのは勿論のこと、第２プランジャーの蛇行部が伸縮するときに、この蛇行部の伸縮動作が接触片によってガイドされる。したがって、蛇行部が縮むときに、この蛇行部が左右に揺動してしまうことを未然に防止することができる。その結果、第１の電気部品と第２の電気部品とをコンタクトピンで電気的に接続する際に、これらの電気部品が接圧不足で適正に接続できなくなる事態を回避することが可能となる。
また、請求項１に記載の発明によれば、第２プランジャーの蛇行部が伸縮するときに、この蛇行部の水平方向の四方をプランジャー本体および接触片で包囲して蛇行部の伸縮動作をガイドすることから、第２プランジャーの蛇行部の伸縮動作を一層確実にガイドすることができる。そのため、第１の電気部品と第２の電気部品とをコンタクトピンで電気的に接続する際に、これらの電気部品が接圧不足で適正に接続できなくなる事態を回避することが可能となる。
【００１２】
また、請求項２に記載の発明によれば、係止部が被係止部に係止されるとともに、係合部が被係合部に係合することにより、第１プランジャーに対する第２プランジャーの上下動がガイドされることから、コンタクトピンを簡単かつ精密に組み立てることが可能となる。
【００１３】
さらに、請求項３の記載の発明によれば、上述した効果を奏する電気部品用ソケットを提供することができる。
【図面の簡単な説明】
【００１４】
【図１】この発明の実施の形態１に係る電気部品用ソケットを示す斜視図である。
【図２】同実施の形態１に係るコンタクトモジュールを示す縦断面図であって、（ａ）はフローティングプレートが上昇した状態図、（ｂ）はフローティングプレートが下降した状態図である。
【図３】同実施の形態１に係るコンタクトピンを示す図であって、（ａ）はその正面図、（ｂ）はその縦断面図である。
【図４】同実施の形態１に係るコンタクトピンの第１プランジャーを示す図であって、（ａ）はその正面図、（ｂ）はその右側面図、（ｃ）はその背面図、（ｄ）はその平面図である。
【図５】同実施の形態１に係るコンタクトピンの第２プランジャーを示す図であって、（ａ）はその正面図、（ｂ）はその左側面図である。
【図６】同実施の形態１に係る電気部品用ソケットの使用時における第１プランジャーの第１接触部の突出状態を示す縦断面図であって、（ａ）は配線基板上に電気部品用ソケットを配設する前の状態図、（ｂ）は配線基板上に電気部品用ソケットを配設した後の状態図である。
【図７】同実施の形態１に係る電気部品用ソケットの使用時における第２プランジャーの第２接触部の突出状態を示す縦断面図であって、（ａ）は上側プレートに対してフローティングプレートが上昇した状態図、（ｂ）は上側プレートに対してフローティングプレートおよび第２プランジャーが下降した状態図である。
【発明を実施するための形態】
【００１５】
以下、この発明の実施の形態について説明する。
【００１６】
［発明の実施の形態１］
図１乃至図７には、この発明の実施の形態１を示す。
【００１７】
この実施の形態１に係る「電気部品用ソケット」としてのＩＣソケット１１は、図１、図６および図７に示すように、「第１の電気部品」である配線基板１３上に配設されるようになっており、「第２の電気部品」であるＩＣパッケージ１２等のバーンイン試験等を行うために、このＩＣパッケージ１２の球状端子１２ａとその配線基板１３のパッド１３ａとの電気的接続を図るものである。
【００１８】
このＩＣパッケージ１２は、ボールグリッドアレイ（ＢＧＡ）と称されるもので、図７（ｂ）に示すように、平面視で方形状のパッケージ本体１２ｂを有し、このパッケージ本体１２ｂの下面に、複数の球状端子１２ａが格子状に配列されて下向きに突出する形で形成されている。なお、図７（ｂ）においては、複数の球状端子１２ａのうち１個のみを図示している。
【００１９】
また、ＩＣソケット１１は、図１および図７に示すように、ＩＣパッケージ１２が収容されるコンタクトモジュール１５と、このコンタクトモジュール１５が下方から挿入されて取り付けられた状態で配線基板１３上に配置される略四角形枠形のソケットベース２０とを備えている。
【００２０】
このコンタクトモジュール１５は、図２、図６および図７に示すように、ＩＣパッケージ１２の球状端子１２ａと配線基板１３のパッド１３ａとを互いに電気的に接続するための複数のコンタクトピン１６が上下方向に弾性的に伸縮自在に配設されたモジュール本体１７を有している。なお、図２においては、複数のコンタクトピン１６のうち１個のみを図示している。
【００２１】
各コンタクトピン１６はそれぞれ、図３に示すように、配線基板１３のパッド１３ａに接触する第１接触部３２を有する導電性の第１プランジャー３０と、この第１プランジャー３０に対して上下動自在に支持されてＩＣパッケージ１２の球状端子１２ａに２点で接触する第２接触部４２を有する導電性の第２プランジャー４０とから構成されている。
【００２２】
すなわち、第１プランジャー３０は、図４に示すように、断面略Ｕ字状のプランジャー本体３１を有している。プランジャー本体３１には、その下端部に第１接触部３２が形成されているとともに、この第１接触部３２の近傍に被係止部３３および被押当部３４が内側に突出するように形成されている。また、プランジャー本体３１の上端部近傍には、係合部３５が内側に切り起こされた形で形成されている。
【００２３】
一方、第２プランジャー４０は、図５に示すように、略平板状のプランジャー本体４１を有しており、プランジャー本体４１の上端部には第２接触部４２が形成されている。また、プランジャー本体４１の下部には、第１プランジャー３０と第２プランジャー４０とを互いに離れる方向（上下方向）に弾性的に付勢する伸縮可能な蛇行部４３が一体に形成されているとともに、第１プランジャー３０と第２プランジャー４０とを導電する棒状の接触片４４が、蛇行部４３の伸縮時に、この蛇行部４３の伸縮動作をガイドするように設けられている。この接触片４４は、第１プランジャー３０の断面略Ｕ字状のプランジャー本体３１の開口部の近傍で蛇行部４３に沿って延設されている。蛇行部４３の下端部には押当部４６が第１プランジャー３０の被押当部３４に押し当てられた形で形成されており、接触片４４の下端部にはフック状の係止部４７が第１プランジャー３０の被係止部３３に係止されうる形で形成されている。さらに、プランジャー本体４１のほぼ中央部には、上下方向に長い長方形状に開口した被係合部４５が形成されている。
【００２４】
そして、第２プランジャー４０の蛇行部４３が伸縮するときに、この蛇行部４３の水平方向の四方を第１プランジャー３０のプランジャー本体３１および第２プランジャー４０の接触片４４で包囲して、この蛇行部４３の伸縮動作をガイドするように構成されている。
【００２５】
また、図３に示すように、第２プランジャー４０の係止部４７が第１プランジャー３０の被係止部３３に係止されており、第１プランジャー３０の係合部３５が第２プランジャー４０の被係合部４５に係合することにより、第１プランジャー３０に対する第２プランジャー４０の上下動がガイドされるように構成されている。
【００２６】
また、モジュール本体１７は、図１および図２に示すように、略平板状の下側プレート２１と、略平板状の上側プレート２２と、略平板状のフローティングプレート２４と、２個の略四角形枠形のスペーサー２５、２６と、６本の略円柱状の連結ピン２７とから構成されている。ここで、下側プレート２１、スペーサー２５、上側プレート２２およびスペーサー２６は、下から順に積層されて固定され、これらの周縁部に連結ピン２７が上下方向に貫通している。さらに、上側プレート２２の上方には、フローティングプレート２４が、図示省略のコイルスプリングによって上方に付勢された状態で下側プレート２１に対して所定のストロークＳ１（図２（ａ）、図７（ａ）参照）だけ上下動自在に支持されている。フローティングプレート２４には、図７に示すように、コンタクトピン１６の第２プランジャー４０の上部が上下動自在に挿通される複数の円形のピン挿通孔２４ａが上下方向に貫通して形成されている。また、フローティングプレート２４の上面には、図１に示すように、ＩＣパッケージ１２を収容するためのパッケージ収容部２４ｃが形成されているとともに、このパッケージ収容部２４ｃの周囲に８個のガイドピン２４ｂが立設されている。
【００２７】
そして、コンタクトピン１６は、ＩＣパッケージ１２の球状端子１２ａと配線基板１３のパッド１３ａとを互いに電気的に接続する際に、図３（ｂ）に示すように、第２プランジャー４０の接触片４４の下端部が第１プランジャー３０のプランジャー本体３１の下端部に接触することにより、第１プランジャー３０と第２プランジャー４０とが接触片４４を介して互いに導電されるとともに、蛇行部４３が縮められて所定の反発力を発現することにより、第１プランジャー３０の第１接触部３２および第２プランジャー４０の第２接触部４２がそれぞれ配線基板１３のパッド１３ａおよびＩＣパッケージ１２の球状端子１２ａに所定の接圧で接触するように構成されている。
【００２８】
なお、このコンタクトピン１６を組み立てる際には、例えば、次のような手順による。
【００２９】
まず、所定形状の平板状の金属板に曲げ加工を施して第１プランジャー３０を作製する。それには、この金属板に対して、半抜き加工で被係止部３３および被押当部３４を形成した後、この金属板を略Ｕ字断面状に折り曲げる。なお、第１プランジャー３０の係合部３５については、後述するように、第１プランジャー３０に第２プランジャー４０を組み付けるときに切り起こして形成する。
【００３０】
また、所定形状の平板状の金属板にプレス加工を施して第２プランジャー４０を作製する。
【００３１】
次いで、第１プランジャー３０に第２プランジャー４０を組み付けてコンタクトピン１６を完成させる。それには、まず、第１プランジャー３０のプランジャー本体３１内に第２プランジャー４０の先端部を斜めに差し込み、第１プランジャー３０の被係止部３３に第２プランジャー４０の係止部４７を係止する。すると、第２プランジャー４０の係止部４７が第１プランジャー３０の被係止部３３に引っ掛かって、第１プランジャー３０と第２プランジャー４０とが分離しなくなる。その状態で、第２プランジャー４０をその係止部４７を中心として回転させて第１プランジャー３０のプランジャー本体３１内に収容し、第１プランジャー３０の係合部３５を内側に切り起こして第２プランジャー４０の被係合部４５に係合させる。すると、第２プランジャー４０は第１プランジャー３０に対して相対的に揺動しなくなり、ＩＣソケット１１の使用時において、第１プランジャー３０に対する第２プランジャー４０の上下動がガイドされるようになる。ここで、コンタクトピン１６の組立作業が完了する。
【００３２】
このように、コンタクトピン１６を組み立てる際には、第１プランジャー３０の被係止部３３に第２プランジャー４０の係止部４７を係止することにより、第１プランジャー３０と第２プランジャー４０とが分離しなくなるとともに、第１プランジャー３０の係合部３５を第２プランジャー４０の被係合部４５に係合させることにより、第１プランジャー３０に対して第２プランジャー４０が相対的に揺動しなくなるようにすることができる。その結果、第１プランジャー３０や第２プランジャー４０をかしめる必要がないので、コンタクトピン１６の組立が簡単になる。また、第１プランジャー３０および第２プランジャー４０の取り扱いが容易になるため、とりわけコンタクトピン１６のサイズが小さい場合に、そのコンタクトピン１６を精密に組み立てることが可能となる。
【００３３】
次に、かかるＩＣソケット１１の使用方法について、図６および図７を用いて説明する。
【００３４】
まず、図６（ａ）に示すように、ＩＣソケット１１の第１プランジャー３０の第１接触部３２がモジュール本体１７の下側プレート２１の下面から下方へ突出した状態で、そのＩＣソケット１１を配線基板１３上に配置する。すると、コンタクトピン１６は、第１プランジャー３０が配線基板１３のパッド１３ａに接触して押し上げられるため、図６（ｂ）に示すように、第１プランジャー３０の第１接触部３２が上方へ移動してモジュール本体１７の下側プレート２１の下面とほぼ面一になる。
【００３５】
その後、このＩＣソケット１１上に、図示省略の自動機でＩＣパッケージ１２を搬送して着座させた後、このＩＣパッケージ１２を押圧部材（図示せず）で下方に押圧する。すると、図７（ａ）、（ｂ）に示すように、ＩＣパッケージ１２の球状端子１２ａがコンタクトピン１６の第２プランジャー４０の第２接触部４２に２点で接触して、この第２接触部４２を押し下げるため、第１プランジャー３０に対して第２プランジャー４０が下降する。ただし、第２プランジャー４０の蛇行部４３は、その下端部の押当部４６が第１プランジャー３０の被押当部３４に押し当てられているので、第２接触部４２の下降に伴って上下方向に縮み、第１プランジャー３０と第２プランジャー４０とを互いに離れる方向（上下方向）に弾性的に付勢する力が増大する。
【００３６】
この第２プランジャー４０の蛇行部４３が上下方向に縮むときには、この蛇行部４３の動作が接触片４４によってガイドされる。しかも、コンタクトピン１６では、第１プランジャー３０の断面略Ｕ字状のプランジャー本体３１が、第２プランジャー４０の蛇行部４３を包囲して、この蛇行部４３の動作をガイドし、かつ、第２プランジャー４０の接触片４４が第１プランジャー３０の断面略Ｕ字状のプランジャー本体３１とともに第２プランジャー４０の蛇行部４３の周囲を包囲する。そのため、第２プランジャー４０の蛇行部４３が縮むときに、この蛇行部４３が左右に揺動してしまうことを未然に防止することができる。したがって、配線基板１３のパッド１３ａとＩＣパッケージ１２の球状端子１２ａとをコンタクトピン１６で電気的に接続する際に、これらのパッド１３ａおよび球状端子１２ａが接圧不足で適正に接続できなくなる事態を回避することが可能となる。その結果、コンタクトピン１６は、第１プランジャー３０の第１接触部３２が配線基板１３のパッド１３ａに所定の接圧で接触するとともに、第２プランジャー４０の第２接触部４２がＩＣパッケージ１２の球状端子１２ａに所定の接圧で接触する。
【００３７】
また、第２プランジャー４０の被係合部４５は、上述したとおり、上下方向に長い長方形状に開口しているので、第２プランジャー４０の下降動作は支障なく行われる。
【００３８】
この状態で、ＩＣパッケージ１２に電流を流してバーンイン試験等を行う。
【００３９】
このとき、ＩＣソケット１１のコンタクトピン１６を介してＩＣパッケージ１２の球状端子１２ａと配線基板１３のパッド１３ａとの間で電流が流れるが、コンタクトピン１６は、上述したとおり、配線基板１３のパッド１３ａおよびＩＣパッケージ１２の球状端子１２ａに対して所定の接圧で接触しているので、バーンイン試験等を適正に実施することが可能となる。
【００４０】
また、このコンタクトピン１６の第２プランジャー４０は、図３（ｂ）に示すように、その被係合部４５が第１プランジャー３０の係合部３５に係合して左右方向の動きを拘束されているため、第２プランジャー４０の上部が左右に振れる恐れはなく、バーンイン試験等を適正に実施することができる。
【００４１】
さらに、このコンタクトピン１６における電路としては、主に、第１プランジャー３０のプランジャー本体３１を経由する第１の電路（詳しくは、このプランジャー本体３１を介して、第２プランジャー４０の第２接触部４２、プランジャー本体４１と、第１プランジャー３０の第１接触部３２とを結ぶ電路）と、第２プランジャー４０の接触片４４を経由する第２の電路（詳しくは、この接触片４４を介して、第２プランジャー４０の第２接触部４２、プランジャー本体４１と、第１プランジャー３０のプランジャー本体３１、第１接触部３２とを結ぶ電路）とが考えられる。これは、第２プランジャー４０の蛇行部４３と接触片４４を比較すると、蛇行部４３が接触片４４より細長い（断面が小さくて、全長が長い）ため、蛇行部４３の抵抗値が接触片４４の抵抗値より大きくなり、蛇行部４３に電流が流れにくくなるからである。その結果、蛇行部４３に大電流が流れて蛇行部４３が焼け切れてしまう不具合を回避することができる。
【００４２】
これに加えて、このコンタクトピン１６の第１プランジャー３０は、上述したとおり、断面略Ｕ字状を呈しているので、例えば断面略Ｉ字状のもの等に比べて、断面積を大きくして抵抗値を小さくすることができる。
【００４３】
なお、上述した実施の形態１では、下側プレート２１、上側プレート２２、フローティングプレート２４等からなるモジュール本体１７について説明したが、他の構成のモジュール本体（例えば、フローティングプレート２４を欠くもの、下側プレート２１と上側プレート２２との間に１枚以上の中央プレートが配設されたもの）にも、この発明を同様に適用することができる。
【００４４】
また、上述した実施の形態１では、第２プランジャー４０の第２接触部４２が２点接触タイプのものである場合について説明したが、他のタイプの第２接触部４２を採用しても構わない。
【００４５】
また、上述した実施の形態１では、第１プランジャー３０の被係止部３３および被押当部３４を半抜き加工で形成する場合について説明したが、半抜き加工以外の加工法を代用することも可能である。
【００４６】
また、上述した実施の形態１では、第１プランジャー３０の係合部３５を切り起こし加工で形成する場合について説明したが、切り起こし加工以外の加工法を代用することも可能である。
【００４７】
さらに、上述した実施の形態１では、「電気部品用ソケット」としてＩＣソケット１１にこの発明を適用したが、これに限らず、他の装置にも適用できることは勿論である。
【符号の説明】
【００４８】
１１……ＩＣソケット（電気部品用ソケット）
１２……ＩＣパッケージ（第２の電気部品）
１３……配線基板（第１の電気部品）
１５……コンタクトモジュール
１６……コンタクトピン
１７……モジュール本体
３０……第１プランジャー
３１……プランジャー本体
３２……第１接触部
３３……被係止部
３５……係合部
４０……第２プランジャー
４１……プランジャー本体
４２……第２接触部
４３……蛇行部
４４……接触片
４５……被係合部
４７……係止部
【図１】
0006669533.tif 000002
【図２】
0006669533.tif 000003
【図３】
0006669533.tif 000004
【図４】
0006669533.tif 000005
【図５】
0006669533.tif 000006
【図６】
0006669533.tif 000007
【図７】
0006669533.tif 000008